(57)【要約】【課題】空気調和装置の部品を管理するために管理サーバ上に構築された従来のデータベースＤＢは、空気調和装置の一部の部品のみを変更して登録することができない。このようなデータベースＤＢにおいては、手動でデータベースＤＢを変更しなければならない。【解決手段】第１観点の空調ユニット管理方法は、複数の構成部品１１を含む空調ユニット１０を管理する管理方法である。空調ユニット管理方法は、第１ステップと、第２ステップと、を備える。第１ステップは、少なくとも第１構成部品１１に対して固有ＩＤを付ける。第２ステップは、第１構成部品１１の運転情報を第１構成部品１１に付けられた固有ＩＤに関連づけて記憶する。【選択図】図１
2020139727.tif 000002
【特許請求の範囲】
【請求項１】
複数の構成部品（１１）を含む空調ユニット（１０）を管理する空調ユニット管理方法であって、
少なくとも第１構成部品に対して固有ＩＤを付ける第１ステップ（Ｓ１４）と、
前記第１構成部品の運転情報を前記第１構成部品に付けられた固有ＩＤに関連づけて記憶する第２ステップ（Ｓ２４）と、
を備える、
空調ユニット管理方法。
【請求項２】
前記第１ステップ（Ｓ１４）において、複数の前記構成部品（１１）それぞれに対して前記固有ＩＤを付け、
前記空調ユニット（１０）から、ネットワークを介して、複数の前記構成部品（１１）それぞれの前記運転情報を取得する第３ステップ（Ｓ２１）と、
前記固有ＩＤに基づき、それぞれの前記運転情報を、前記構成部品（１１）それぞれの部品情報に関連づけて記憶する第４ステップ（Ｓ２４）と、
をさらに備える、
請求項１に記載の空調ユニット管理方法。
【請求項３】
複数の空調ユニット（１０）を管理する請求項１または２の空調ユニット管理方法であって、
複数の前記空調ユニット（１０）から一つの前記空調ユニット（１０）を選択する第５ステップ（Ｓ４１）と、
複数の前記運転情報から、選択された前記空調ユニット（１０）の複数の前記構成部品（１１）それぞれの前記運転情報を取得する第６ステップ（Ｓ４４）と、
取得した前記運転情報から、前記空調ユニット（１０）の情報を生成する第７ステップ（Ｓ４５）と、
をさらに備える、
空調ユニット管理方法。
【請求項４】
複数の構成部品（１１）を含む空調ユニット（１０）を管理する管理装置（２０）であって、
前記空調ユニット（１０）から取得した前記構成部品（１１）それぞれの運転情報を記憶する複数のテーブル（ＴＢ）を有する、記憶部（２２）と、
複数の前記テーブル（ＴＢ）から、前記運転情報を記憶する前記テーブル（ＴＢ）を決定する、決定部（２１ｄ）と、
を備え、
複数の前記構成部品（１１）のうち少なくとも第１構成部品に対して固有ＩＤが付けられ、
前記決定部（２１ｄ）は、前記固有ＩＤに基づき前記テーブル（ＴＢ）を決定し、
前記記憶部（２２）は、判定された前記テーブル（ＴＢ）に前記運転情報を記憶する、
管理装置（２０）。
【請求項５】
前記空調ユニット（１０）から、ネットワークを介して、前記運転情報を取得する通信部（２５）、をさらに備える、
請求項４に記載の管理装置（２０）。
【請求項６】
前記記憶部（２２）に記憶された前記運転情報から、選ばれた前記空調ユニット（１０）に含まれる、複数の前記構成部品（１１）の前記運転情報を抽出する、抽出部（２１ｃ）と、
前記抽出部（２１ｃ）が抽出した前記運転情報から、前記空調ユニット（１０）の情報を生成する、生成部（２１ｇ）と、
をさらに備える、
請求項４または５のいずれかに記載の管理装置（２０）。
【請求項７】
前記テーブル（ＴＢ）は、前記構成部品（１１）の種類それぞれに対して設けられている、
請求項４から６のいずれかに記載の管理装置（２０）。
【請求項８】
前記構成部品（１１）を新たな前記構成部品（１１）に交換した場合において、新たな前記構成部品（１１）の前記運転情報の項目が増えると、前記テーブル（ＴＢ）の項目も増える、
請求項４から７のいずれかに記載の管理装置（２０）。
【請求項９】
前記空調ユニット（１０）の機種コードに基づき、複数の前記構成部品（１１）の前記テーブル（ＴＢ）が初期登録される、
請求項４から８のいずれかに記載の管理装置（２０）。
【請求項１０】
前記テーブル（ＴＢ）は、外部システムから生成される、
請求項４から９のいずれかに記載の管理装置（２０）。
【請求項１１】
空調ユニット（１０）と、
請求項４から請求項１０のいずれかに記載の管理装置（２０）と、
前記空調ユニット（１０）を監視する監視端末（３０）と、
を備え、
前記監視端末（３０）からの要求に応じて前記構成部品（１１）の前記運転情報を提示する、
管理システム（１００）。
【請求項１２】
前記管理装置（２０）は、前記空調ユニット（１０）の異常を検知した場合、前記監視端末（３０）へ情報を提示する、
請求項１１に記載の管理システム（１００）。
【発明の詳細な説明】
【技術分野】
【０００１】
複数の構成部品を含む空調ユニットを管理する空調ユニット管理方法、及び空調ユニット管理方法を実現する管理装置と、管理システム。
【背景技術】
【０００２】
近年、空気調和装置の一部の部品を入れ替えることによって、既存の空気調和装置の性能を大幅に向上させるメンテナンスサービスとして、レトロフィットが行われる。特許文献１（特開２０１０−０４８４２２号公報）では、凝縮器を入れ替えるレトロフィット行われている。
【発明の概要】
【発明が解決しようとする課題】
【０００３】
空気調和装置の部品を管理するために管理サーバ上に構築された従来のデータベースＤＢは、空気調和装置の一部の部品のみを変更して登録することができない。
【課題を解決するための手段】
【０００４】
第１観点の空調ユニット管理方法は、複数の構成部品を含む空調ユニットを管理する管理方法である。空調ユニット管理方法は、第１ステップと、第２ステップと、を備える。第１ステップは、少なくとも第１構成部品に対して固有ＩＤを付ける。第２ステップは、第１構成部品の運転情報を第１構成部品に付けられた固有ＩＤに関連づけて記憶する。
【０００５】
これによって、少なくとも第１構成部品は部品単位で管理され、第１構成部品を交換した場合であっても対応可能なデータベースＤＢを構築することができる。
【０００６】
第２観点の空調ユニット管理方法は、第１観点の空調ユニット管理方法であって、第３ステップと、第４ステップと、をさらに備える。空調ユニット管理方法は、第１ステップにおいて、複数の構成部品それぞれに対して固有ＩＤを付ける。第３ステップにおいて、ネットワークを介して、複数の構成部品それぞれの運転情報を取得する。第４ステップにおいて、固有ＩＤに基づき、それぞれの運転情報を、構成部品それぞれの部品情報に関連づけて記憶する。
【０００７】
これによって、複数の構成部品それぞれを部品単位で管理し、レトロフィットに対応したデータベースＤＢを構築することが可能である。
【０００８】
第３観点の空調ユニット管理方法は、複数の空調ユニットを管理する第１観点又は第２観点の空調ユニット管理方法であって、第５ステップと、第６ステップと、第７ステップと、をさらに備える。第５ステップにおいて、複数の空調ユニットから一つの空調ユニットを選択する。第６ステップにおいて、複数の運転情報から、選択された空調ユニットの複数の構成部品それぞれの運転情報を取得する。第７ステップにおいて、取得した運転情報から、空調ユニットの情報を生成する。
【０００９】
第４観点の管理装置は、複数の構成部品を含む空調ユニットを管理する。管理装置は、記憶部と、決定部と、を備える。記憶部は、空調ユニットから取得した構成部品それぞれの運転情報を記憶する複数のテーブルＴＢを有する。決定部は、複数のテーブルＴＢから、運転情報を記憶するテーブルＴＢを決定する。複数の構成部品のうち少なくとも第１構成部品には、固有ＩＤが付けられる。決定部は、固有ＩＤに基づきテーブルＴＢを決定する。記憶部は、判定されたテーブルＴＢに運転情報を記憶する。
【００１０】
第５観点の管理装置は、第４観点の管理装置であって、空調ユニットから、ネットワークを介して、運転情報を取得する通信部、をさらに備える。
【００１１】
第６観点の管理装置は、第４観点又は第５観点の管理装置であって、抽出部と、生成部と、をさらに備える。抽出部は、記憶部に記憶された運転情報から、選ばれた空調ユニットに含まれる、複数の構成部品の運転情報を抽出する。生成部は、抽出部が抽出した運転情報から、空調ユニットの情報を生成する。
【００１２】
第７観点の管理装置は、第４観点から第６観点のいずれかの管理装置であって、テーブルＴＢは、構成部品の種類それぞれに対して設けられている。
【００１３】
第８観点の管理装置は、第４観点から第７観点のいずれかの管理装置であって、構成部品を新たな構成部品に交換した場合において、新たな構成部品の運転情報の項目が増えると、テーブルＴＢの項目も増える。
【００１４】
第９観点の管理装置は、第４観点から第８観点のいずれかの管理装置であって、空調ユニットの機種コードに基づき、複数の構成部品のテーブルＴＢが初期登録される。
【００１５】
第１０観点の管理装置は、第４観点から第９観点のいずれかの管理装置であって、テーブルＴＢは、外部システムから生成される。
【００１６】
第１１観点の管理システムは、空調ユニットと、管理装置と、監視端末を備える。管理装置は、第４観点から第１０観点のいずれかに記載の管理装置である。監視端末は、空調ユニットを監視する。管理システムは、監視端末からの要求に応じて構成部品の前記運転情報を提示する。
【００１７】
第１２観点の管理システムは、第１１観点の管理装置であって、空調ユニットの異常を検知した場合、監視端末へ情報を提示する。
【図面の簡単な説明】
【００１８】
【図１】管理システムを示す概略図である。
【図２】空気調和装置の概略図である。
【図３】管理装置及び監視装置の概略図である。
【図４】初期登録処理のフローチャートである。
【図５】運転情報記憶処理のフローチャートである。
【図６】部品登録処理のフローチャートである。
【図７】性能情報生成処理のフローチャートである。
【図８Ａ】初期登録処理の入力画面の一例である。
【図８Ｂ】初期登録処理の完了画面の一例である。
【図９】運転情報の一例である。
【図１０Ａ】交換後の部品を示す図である。
【図１０Ｂ】部品登録処理の入力画面の一例である。
【図１０Ｃ】部品登録処理の完了画面の一例である。
【図１１】性能情報生成処理の入力画面の一例である。
【発明を実施するための形態】
【００１９】
以下、本開示の一実施形態に係る管理システム１００について説明する。なお、以下の実施形態は、具体例であって、技術的範囲を限定するものではなく、趣旨を逸脱しない範囲で適宜変更可能である。
【００２０】
（１）概要
まず、管理システム１００の概略について説明する。図１は、本開示の実施形態に係る管理システム１００を示す概略図である。管理システム１００は、複数の空気調和装置１０と、管理装置２０と、監視端末３０と、を備える。
【００２１】
空気調和装置１０が対象施設等に施工されると、管理システム１００を使用する管理者は、管理装置２０に構築されたデータベースＤＢに空気調和装置１０の情報を登録する。データベースＤＢに空気調和装置１０の情報を登録されると、データベースＤＢ上の各テーブルＴＢに運転情報が蓄積される。運転情報は、空気調和装置１０に含まれる圧縮機、熱交換器、膨張弁等の部品１１の運転状況に基づく情報である。管理装置に接続された監視端末３０は、空気調和装置１０に何らかの異常が発生した場合、管理装置に対して各種要求を行うことによって異常に対応する。
【００２２】
ところで、従来のデータベースＤＢにおいては、空気調和装置１０に含まれる複数の部品１１の運転情報は、同一のテーブルＴＢにおいて記憶されていた。
【００２３】
しかしながら、近年では空気調和装置１０に含まれる複数の部品１１のうち一部の部品１１を入れ替えることによって空気調和装置１０の性能を向上させるレトロフィットが推奨されている。従来のデータベースＤＢにおいてレトロフィットを行うと、レトロフィット後の空気調和装置１０は、新しい空気調和装置１０としてデータベースＤＢに登録されてしまう。これによって、データベースＤＢ上にはレトロフィット前の運転情報が記憶されるテーブルＴＢと、レトロフィット後の運転情報を記憶するテーブルＴＢが作成される。そのため、管理者は、必要に応じて複数のテーブルＴＢを１つにまとめる等の作業を行わなければならなかった。
【００２４】
本開示の実施形態に係る管理システム１００に示すデータベースＤＢは、部品１１の種類ごとに情報を管理することによって、部品１１の一部のみを交換した場合に対応するデータベースＤＢを提供する。
【００２５】
これによって、各種情報の管理を効率的に行う事が可能である。さらに、管理装置２０に接続された監視端末４０からの要求に基づいて各種情報を提供することが容易になる。
【００２６】
（２）空気調和装置１０
図２に空気調和装置１０Ａ、及び空気調和装置１０Ｂの概略図を示す。なお、以下においては、特に必要のない限り空気調和装置１０Ａを例に挙げて説明を行う。空気調和装置１０Ａは、冷媒回路において蒸気圧縮方式の冷凍サイクルを行うことにより、対象空間の冷房又は暖房等の空調運転を行う。空気調和装置１０Ａは、インターネット等のネットワークに接続さることによって管理装置２０と通信可能である。
【００２７】
空気調和装置１０Ａは、主として、冷媒回路を構成する複数の部品１１と、部品１１の運転情報を取得し管理装置２０に送信する運転情報送信部１２と、を有している。運転情報は、それぞれの部品１１に装着された温度センサ及び圧力センサ等の各種センサが検知した値であって、部品１１の運転状況を示す。また、運転情報には、空気調和装置１０Ａが行う空調運転等に関する設定情報が含まれていてもよい。部品１１によってそれぞれ、異なるセンサが設けられているため、運転情報送信部１２から送信される運転情報の項目は部品１１によって異なる。部品１１は図２に示すように、圧縮機、熱交換器、膨張弁等であって、部品１１ａには、部品１１ａ、部品１１ｂ、部品１１ｃ、部品１ｄ、部品１１ｅ、部品１１ｆ、が存在する。以下においては、特に必要のない限り部品１１ａを例に挙げて説明を行う。
【００２８】
空気調和装置１０Ａには、機器ＩＤ、及び機種コードがあらかじめ設定されている。機器ＩＤは、空気調和装置１０Ａを識別するための情報であって、空気調和装置１０Ａに固有の情報である。ここで、空気調和装置１０Ａの機器ＩＤは１１１１である。機種コードは、空気調和装置１０Ａの機種を識別するための情報であって、機種ごとに設定された情報である。具体的には、例えば、空気調和装置１０Ａと他の空気調和装置が同一の機種であれば同一の機種コードを有しており、空気調和装置１０Ａと他の空気調和装置が異なる機種であれば異なる機種コードを有している。ここで、空気調和装置１０Ａの機種コードはＡＡＡＡである。後述する初期登録の時点において、同一の機種コードを有する空気調和装置は、同一の部品１１によって構成されている。初期登録においては、この機種コードを入力することで、空気調和装置に含まれる複数の部品１１をデータベースＤＢに登録することが可能である。
【００２９】
部品１１ａには、部品ＩＤ、及び部品コードがあらかじめ設定されている。部品ＩＤは、部品１１を識別するための情報であって、それぞれの部品１１に固有の情報である。部品ＩＤは、データベースＤＢに部品１１が登録される際に各部品に対して発行されてもよいし、あらかじめ設定されたものであってもよい。ここで、部品１１ａの部品ＩＤはＡ００１である。部品コードは、部品１１の型番、モデル等を識別するための情報である。ここで部品１１ａの部品コードはａａａａである。さらに、それぞれの部品１１は、その種類によって区別されている。例えば、部品１１ａは圧縮機である。それぞれの部品１１は、同じ種類の部品１１に交換することが可能である。
【００３０】
（３）管理装置２０
図３に管理装置２０の概略図を示す。管理装置２０はネットワークを介して複数の空気調和装置１０、及び監視端末３０に接続されている。
【００３１】
管理装置２０は、制御部２１、記憶部２２、入力部２３、表示部２４、および通信部２５等のハードウェアを備える。制御部２１は、信号線を介して他のハードウェアと接続され、他のハードウェアを制御する。
【００３２】
制御部２１は、例えば、ＣＰＵであって、部品管理プログラムを実行する装置である。部品管理プログラムは、記憶部２２にあらかじめ記憶されており、制御部２１によって実行される。初期登録処理、部品登録処理、運転情報取得処理、及び性能情報生成処理、等の各処理をコンピュータに実行させる。
【００３３】
制御部２１は、受付部２１ａ、検索部２１ｂ、抽出部２１ｃ、決定部２１ｄ、格納部２１ｅ、ＩＤ発行部２１ｆ、生成部２１ｇ、等の機能部を有す。受付部２１ａは、入力部２３から入力された各種情報、又は通信部２５が受信した各種情報を受け付ける。検索部２１ｂは、入力された検索条件に基づいてデータベースＤＢに記憶された情報から各種情報を検索する。抽出部２１ｃは、データベースＤＢに記憶された情報から必要に応じて各種情報を抽出する。決定部２１ｄは、各種処理に用いるテーブルＴＢを決定する。格納部２１ｅは、各種情報をテーブルＴＢに格納する。ＩＤ発行部２１ｆは、登録された部品１１に対してＩＤを発行する。生成部２１ｇは、複数の部品１１の運転情報から、空気調和装置１０の性能情報を生成する。
【００３４】
また、制御部２１は、監視端末３０から要求に応じた処理を実行するとともに、処理結果が示された監視情報等を生成する。
【００３５】
記憶部２２は、記録媒体の例である。記憶部２２は、例えば、フラッシュメモリ、ＲＡＭ、またはＨＤＤである。記憶部２２には、空気調和装置１０、及び各部品１１に関する各種情報があらかじめ記憶されている状態である。この空気調和装置１０、及び各部品１１に関する各種情報は、他のシステムから生成されていてもよいし、ＵＳＢメモリや光記憶媒体などの可搬性の記憶媒体に記憶された状態で配布されたものであってもよい。
【００３６】
記憶部２２には、データベースＤＢが構築されている。空気調和装置１０Ａに含まれる複数の部品１１に関する情報は、データベースＤＢに登録され、部品１１の種類ごとにそれぞれテーブルＴＢが構築される。テーブルＴＢには、例えば、部品１１の種類、部品ＩＤ、部品１１が含まれる空気調和装置１０の機器ＩＤ、機種コード、部品１１の使用開始日、部品１１の使用終了日、及び部品１１の運転情報等が記憶されている。テーブルＴＢに記憶される運転情報は、各部品１１によって項目が異なる。
【００３７】
入力部２３は、部品管理プログラムへの各種情報の入力のために管理者によって操作される。入力部２３は、例えば、マウス、キーボードまたはタッチパネルである。
【００３８】
表示部２４は、部品管理プログラムから出力される各種情報を表示画面に表示する。
【００３９】
通信部２５は、部品管理プログラムに入力されるデータを受信するレシーバと、部品管理プログラムから出力されるデータを送信するトランスミッタとを含む。通信部２５は、例えば、通信チップまたはＮＩＣである。通信部２５は、ネットワークを介して、空気調和装置１０から運転情報を受信する。さらに、通信部２５は、監視端末３０から空気調和装置１０に関する各種要求を受信し、監視端末３０に対して監視情報を送信する。
【００４０】
管理装置２０は、１台のコンピュータで構成されていてもよいし、複数台のコンピュータで構成されていてもよい。管理装置２０が複数台のコンピュータで構成されている場合は、各機能が、各コンピュータに分散されて実現されてもよい。データベースＤＢは、いずれか１台のコンピュータに構築されてもよいし、２台以上のコンピュータに分散されて構築されてもよい。
【００４１】
（４）各種処理
以下では、管理装置２０が行う各種処理について、図４から図１１を参照して説明する。なお、これらに示すフローは、適宜変更が可能であり、処理が適正に行われる限り、いずれかのステップの順序を入れ換えてもよいし、いずれかのステップが同時に実行されてもよいし、図示しない他のステップが追加されてもよい。
【００４２】
（４―１）初期登録処理
ここでは、図４に示す、空気調和装置１０に含まれる複数の部品１１をデータベースＤＢに登録するフローについて説明する。初期登録処理は、ステップＳ１１からステップＳ１６に示すような流れで処理を実行する。
【００４３】
ステップＳ１１において、初期登録を行う管理者等は、表示部２４に表示された入力画面に従い、登録する空気調和装置１０の機器ＩＤまたは機種コードを入力する。入力は入力部２３を介して行われる。なお、管理者は、機器ＩＤまたは機種コードを入力することによって初期登録を行うが、入力する情報はこれに限られないのはもちろんである。例えば、管理者は、空気調和装置１０に含まれる複数の部品１１の情報をそれぞれ入力してもよい。ここでは、空気調和装置１０の初期登録を行う。すなわち、空気調和装置１０の機種コードであるＡＡＡＡ、及び機器ＩＤである１１１１を入力する。入力画面は、例えば、図８Ａのような画面である。
【００４４】
ステップＳ１２において、管理装置２０の受付部２１ａは、入力部２３を介して入力された情報を受け付ける。
【００４５】
ステップＳ１３において、抽出部２１ｃは、入力された機種コードに基づいて、記憶部２２に記憶された情報から、登録する空気調和装置１０に含まれる複数の部品１１の情報を抽出する。
【００４６】
ステップＳ１４において、ＩＤ発行部２１ｆは、登録する空気調和装置１０に含まれる複数の部品１１それぞれに対して部品ＩＤを発行する。
【００４７】
ステップＳ１５において、部品ＩＤ、及び部品１１に関する各種情報がデータベースＤＢに登録される。これによって各部品１１の運転情報は、それぞれのテーブルＴＢに格納することが可能になる。
【００４８】
ステップＳ１６において、表示部２４は、初期登録の完了を管理者に対して報告する、初期登録完了画面を表示して終了する。初期登録完了画面は、例えば図８Ｂに示す画面である。
【００４９】
（４―２）運転情報記憶処理
ここでは、図５に示す、空気調和装置１０Ａから受信した部品１１ａの運転情報をデータベースＤＢに記憶するフローにいて説明する。なお、データベースＤＢには、少なくとも空気調和装置１０の情報が登録され、テーブルＴＢが作成された状態である。運転情報登録処理は、ステップＳ２１からステップＳ２４に示すような流れで処理を実行する。
【００５０】
ステップＳ２１において、受付部２１ａは、通信部２５を介して空気調和装置１０から運転情報を受け付ける。ここでは、部品１１ａの運転情報を受け付ける。
【００５１】
ステップＳ２２において、検索部２１ｂは、受け付けた運転情報に含まれる部品ＩＤを検索条件として、部品１１ａの運転情報を格納するテーブルＴＢを検索する。具体的には、検索条件を部品ＩＤＡ００１として検索を行う。
【００５２】
ステップＳ２３において、決定部２１ｄは、ステップＳ２２における検索の検索結果に基づいて、部品１１ａの運転情報を格納するテーブルＴＢを決定する。ここで、検索結果は、部品１１ａの運転情報を格納するテーブルＴＢとして空気調和装置１０Ａの圧縮機のテーブルＴＢを提示する。
【００５３】
ステップＳ２４において、格納部２１ｅは、部品１１ａの運転情報を決定されたテーブルＴＢに格納して記憶する。運転情報は、例えば図９のように格納され記憶される。
【００５４】
（４―３）部品登録処理
ここでは、図６に示す、空気調和装置１０Ａに含まれる複数の部品１１のうち、一部の部品１１ａを交換し、新たな部品１１ｇを登録するフローにいて説明する。ここで、交換する前の部品１１を部品１１ａ、交換後の部品１１を図１０Ａに示す部品１１ｇとする。なお、データベースＤＢには、少なくとも空気調和装置１０Ａの情報が登録され、テーブルＴＢが作成された状態である。部品登録処理は、ステップＳ３１からステップＳ３４に示すような流れで処理を実行する。
【００５５】
ステップＳ３１において、入力画面に従い情報を入力する。ここでは、交換する前の部品１１ａの部品ＩＤ、交換した後の部品１１ｇの部品コード、及び使用開始日、を入力する。入力画面は、例えば、図１０Ｂのような画面である。
【００５６】
ステップＳ３２において、受付部２１ａは、入力された情報を受け付ける。
【００５７】
ステップＳ３３において、検索部２１ｂは、部品ＩＤを検索条件として交換前の部品１１ａのテーブルＴＢを検索する。
【００５８】
ステップＳ３４において、決定部２１ｄは、ステップＳ３２における検索の検索結果に基づいて、交換後の部品１１ｇを登録するテーブルＴＢを決定する。ここで交換後の部品１１ｇは、交換前の部品１１ａと同じ種類の部品１１である。具体的には、交換前の部品１１ａが圧縮機である場合には、交換後の部品１１ｇは必ず圧縮機である。
【００５９】
ステップＳ３５において、ステップＳ３１において入力された部品コードに基づいて、例えば図９のようにテーブルＴＢに記憶する運転情報の項目が追加される。
【００６０】
ステップＳ３６において、表示部２４は、部品登録の完了を管理者に対して報告する、部品登録完了画面を表示する。部品登録完了画面は、例えば図１０Ｃに示す画面である。
【００６１】
（４―４）性能情報生成処理
ここでは、図７に示す、データベースＤＢに登録された各部品１１の運転情報から、空気調和装置１０Ａの全体の運転情報である性能情報を生成するフローについて説明する。なお、データベースＤＢには空気調和装置１０Ａの情報が登録され、テーブルＴＢが作成され、空気調和装置１０Ａに含まれる各部品１１の運転情報が蓄積された状態である。性能情報生成処理は、ステップＳ４１からステップＳ４４に示すような流れで処理を実行する。
【００６２】
ステップＳ４１において、入力画面に従い運転情報を生成する空気調和装置１０Ａの機器ＩＤを入力する。これによって、性能情報を生成する空気調和装置が選択される。入力画面は、例えば、図１１のような画面である。
【００６３】
ステップＳ４２において、受付部２１ａは、入力された情報を受け付ける。
【００６４】
ステップＳ４３において、検索部２１ｂは、機器ＩＤを検索条件として空気調和装置１０に含まれる複数の部品１１のテーブルＴＢを検索する。
【００６５】
ステップＳ４４において、抽出部２１ｃは、ステップＳ４２における検索の検索結果に基づいて、複数のテーブルＴＢから各部品１１の運転情報を抽出する。
【００６６】
ステップＳ４５において、生成部２１ｇは、ステップＳ４３において抽出された各部品１１の運転情報から空気調和装置１０の性能情報を生成する。
【００６７】
ステップＳ４６において、表示部２４は、性能情報を表示する。
【００６８】
（５）監視端末
図３に監視端末３０の概略図を示す。監視端末３０は、空気調和装置１０に対する各種要求を管理装置２に送信する。また、監視端末３は、管理装置２０から送信される監視情報に基づいて、空気調和装置１０の状態を監視する。監視端末３０は、例えば、空気調和装置１０に対して各種制御を実行する権限が付与された監視者により操作される。
【００６９】
監視端末３０は、通信部３１、入力部３２、処理部３３、及び出力部３４を備える。通信部３１は、ネットワークを介して管理装置２０に接続し、空気調和装置１０に対する要求を管理装置２０に送信する。入力部３２は、管理装置２０に送信する要求を受け付ける。処理部３３は監視端末３０における各種情報処理を実行する。出力部３４は管理装置２０から受信する監視情報等を出力する。
【００７０】
上記構成により、監視端末３０は、空気調和装置１０に対して暖房運転及び冷房運転等の各種運転を実行するための要求を送信することができる。また、監視端末３０は、上記要求に対する処理結果が示された監視情報を出力することができる。また、監視端末３０は、管理装置２０からの各種問合せに対して出力部３４を介して返信することができる。
【００７１】
（６）特徴
（６−１）
本開示における空調ユニット管理方法は、複数の部品１１を含む空調ユニットとしての空気調和装置１０を管理する。空調ユニット管理方法は、第１ステップＳ１４から第７ステップＳ４５を備える。第１ステップＳ１４は、部品１１に対して固有ＩＤとしての部品ＩＤを付ける。第２ステップＳ２４は、部品１１の運転情報を部品１１に付けられた部品ＩＤに関連づけて記憶する。第３ステップＳ２１において、ネットワークを介して、複数の部品１１それぞれの運転情報を取得する。第４ステップＳ２４において、部品ＩＤに基づき、それぞれの運転情報を、部品それぞれの部品情報に関連づけて記憶する。第５ステップＳ４１において、複数の空気調和装置１０から一つの空気調和装置１０を選択する。第６ステップＳ４４において、複数の運転情報から、選択された空気調和装置１０の複数の部品１１それぞれの運転情報を取得する。第７ステップＳ４５において、取得した運転情報から、空気調和装置１０の情報である性能情報を生成する。
【００７２】
本開示に示すデータベースＤＢは、レトロフィットや、不測の事態によって部品が故障した場合において、部品１１の一部をのみを交換した場合に対応する。具体的には、従来のデータベースにおいては、空気調和装置の一部の部品を交換した場合、交換を行った後の運転情報は交換する前に運転情報が格納されているテーブルとは異なるテーブルに格納されていた。このようなデータベースにおいては、必要な情報を集積するために、複数のテーブルを参照しなければならず、余分な作業が発生してしまう。本開示に示すデータベースＤＢは、各部品１１を部品単位で管理することによって、部品１１の運転情報を適切なテーブルＴＢに格納することができる。これによって、簡易に必要な情報を取得することができる、部品の交換に対応したデータベースＤＢを構築することができる。
【００７３】
（６−２）
本開示における管理装置２０は、複数の部品１１を含む空気調和装置１０を管理する。管理装置２０は、記憶部２２と、決定部２１ｄと、通信部２５と、抽出部２１ｃと、生成部２１ｇと、を備える。記憶部２２は、空気調和装置１０から取得した部品１１それぞれの運転情報を記憶する複数のテーブルＴＢを有する。決定部２１ｄは、複数のテーブルＴＢから、運転情報を記憶するテーブルＴＢを決定する。複数の部品１１には、固有ＩＤが付けられる。決定部２１ｄは、固有ＩＤに基づきテーブルＴＢを決定する。記憶部２２は、判定されたテーブルＴＢに運転情報を記憶する。通信部２５は、空気調和装置１０から、ネットワークを介して、運転情報を取得する。抽出部２１ｃは、記憶部２２に記憶された運転情報から、選ばれた空気調和装置１０に含まれる、複数の部品１１の運転情報を抽出する。生成部２１ｇは、抽出部２１ｃが選択した運転情報から、空気調和装置１０の情報を生成する。
【００７４】
本開示における管理装置２０は、本開示における空調ユニット管理方法実現する。
【００７５】
（６−３）
本開示において運転情報を記憶するテーブルＴＢは、部品１１の種類それぞれに対して設けられている。複数の部品１１をテーブルＴＢの初期登録は、空気調和装置１０の機種コードに基づき行われる。なお、テーブルＴＢは、外部システムから生成される。テーブルＴＢの項目は、部品１１を新たな部品１１に交換した場合、新たな部品１１の運転情報の項目が増えると、テーブルＴＢの項目も増える。これによって、テーブルＴＢは、交換された部品１１の運転情報を適切に記憶することが可能である。
【００７６】
（６−４）
本開示における管理システム１００は、空気調和装置１０と、管理装置２０と、空気調和装置１０を監視する監視端末３０と、を備える。管理装置２０は、監視端末３０からの要求に応じて部品１１の運転情報を提示する。さらに、管理装置２０は、空気調和装置１０の異常を検知した場合、監視端末３０へ情報を提示する。
【００７７】
（７）変形例
本開示において、空気調和装置１０に含まれる複数の部品１１をデータベースＤＢに登録する処理（初期登録処理）は、管理者等による手入力で行われている。しかし、初期登録処理は、以下に示す方法によって行われてもよい。
【００７８】
まず、複数の部品１１はそれぞれあらかじめ付与された部品ＩＤを保持している。なお、部品ＩＤは部品１１の生産工場等においてあらかじめ付与されたものであってもよい。複数の部品１１はそれぞれ、部品１１が含まれる空気調和装置１０と管理装置２０との初回通信時にネットワークを介して部品ＩＤを管理装置２０に送信する。管理装置２０は、受信した部品ＩＤをデータベースＤＢに登録する。管理装置２０は、それぞれの部品１１の運転情報を受け付けた場合、部品ＩＤを紐づけてデータベースＤＢに登録する。なお、複数の部品１１はそれぞれ、初回通信時以外に任意のタイミングにおいて部品ＩＤを管理装置２０に送信してもよい。任意のタイミングは、例えば、部品登録処理等に基づく空気調和装置１０の再運転時である。
【００７９】
（８）
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８０】
１０    空調ユニット
１１    構成部品
２０    管理装置
２１ｃ  抽出部
２１ｄ  決定部
２１ｇ  生成部
２２    記憶部
２５    通信部
３０    監視端末
１００  管理システム
ＴＢ    テーブル
Ｓ１４  第１ステップ
Ｓ２１  第３ステップ
Ｓ２４  第２ステップ
Ｓ２４  第４ステップ
Ｓ４１  第５ステップ
Ｓ４４  第６ステップ
Ｓ４５  第７ステップ
【先行技術文献】
【特許文献】
【００８１】
【特許文献１】特開２０１０−０４８４２２号公報
【図１】
2020139727.tif 000003
【図２】
2020139727.tif 000004
【図３】
2020139727.tif 000005
【図４】
2020139727.tif 000006
【図５】
2020139727.tif 000007
【図６】
2020139727.tif 000008
【図７】
2020139727.tif 000009
【図８Ａ】
2020139727.tif 000010
【図８Ｂ】
2020139727.tif 000011
【図９】
2020139727.tif 000012
【図１０Ａ】
2020139727.tif 000013
【図１０Ｂ】
2020139727.tif 000014
【図１０Ｃ】
2020139727.tif 000015
【図１１】
2020139727.tif 000016
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
複数の構成部品（１１）を含む空調ユニット（１０）を管理する空調ユニット管理方法であって、
少なくとも第１構成部品（１１ａ）及び第２構成部品（１１ｇ）に対して固有ＩＤを付ける第１ステップ（Ｓ１４）と、
前記第１構成部品（１１ａ）の運転情報を前記第１構成部品（１１ａ）に付けられた前記固有ＩＤに関連づけて、前記構成部品（１１）の種類それぞれに対して設けられているテーブル（ＴＢ）に記憶する第２ステップ（Ｓ２４）と、
前記第２構成部品（１１ｇ）に付けられた前記固有ＩＤに基づいて、前記第２構成部品（１１ｇ）の運転情報を記憶する前記テーブル（ＴＢ）を決定する決定ステップ（Ｓ３４）と、
を備え、
前記第１構成部品（１１ａ）及び第２構成部品（１１ｇ）は同じ種類の前記構成部品（１１）である、
空調ユニット管理方法。
【請求項２】
前記第１ステップ（Ｓ１４）において、複数の前記構成部品（１１）それぞれに対して前記固有ＩＤを付け、
前記空調ユニット（１０）から、ネットワークを介して、複数の前記構成部品（１１）それぞれの前記運転情報を取得する第３ステップ（Ｓ２１）と、
前記固有ＩＤに基づき、それぞれの前記運転情報を、前記構成部品（１１）それぞれの部品情報に関連づけて記憶する第４ステップ（Ｓ２４）と、
をさらに備える、
請求項１に記載の空調ユニット管理方法。
【請求項３】
複数の空調ユニット（１０）を管理する請求項１または２の空調ユニット管理方法であって、
複数の前記空調ユニット（１０）から一つの前記空調ユニット（１０）を選択する第５ステップ（Ｓ４１）と、
複数の前記運転情報から、選択された前記空調ユニット（１０）の複数の前記構成部品（１１）それぞれの前記運転情報を取得する第６ステップ（Ｓ４４）と、
取得した前記運転情報から、前記空調ユニット（１０）の情報を生成する第７ステップ（Ｓ４５）と、
をさらに備える、
空調ユニット管理方法。
【請求項４】
複数の構成部品（１１）を含む空調ユニット（１０）を管理する管理装置（２０）であって、
前記空調ユニット（１０）から取得した前記構成部品（１１）それぞれの運転情報を記憶する複数のテーブル（ＴＢ）を有する、記憶部（２２）と、
複数の前記テーブル（ＴＢ）から、前記運転情報を記憶する前記テーブル（ＴＢ）を決定する、決定部（２１ｄ）と、
を備え、
前記テーブル（ＴＢ）は、前記構成部品（１１）の種類それぞれに対して設けられ、
複数の前記構成部品（１１）のうち、少なくとも同じ種類の前記構成部品（１１）である第１構成部品（１１ａ）及び第２構成部品（１１ｇ）に対して固有ＩＤが付けられ、
前記決定部（２１ｄ）は、前記固有ＩＤに基づき、前記第１構成部品（１１ａ）及び第２構成部品（１１ｇ）それぞれの前記運転情報が記憶される前記テーブル（ＴＢ）を決定し、
前記記憶部（２２）は、判定された前記テーブル（ＴＢ）に前記第１構成部品（１１ａ）及び第２構成部品（１１ｇ）それぞれの前記運転情報を記憶する、
管理装置（２０）。
【請求項５】
前記空調ユニット（１０）から、ネットワークを介して、前記運転情報を取得する通信部（２５）、をさらに備える、
請求項４に記載の管理装置（２０）。
【請求項６】
前記記憶部（２２）に記憶された前記運転情報から、選ばれた前記空調ユニット（１０）に含まれる、複数の前記構成部品（１１）の前記運転情報を抽出する、抽出部（２１ｃ）と、
前記抽出部（２１ｃ）が抽出した前記運転情報から、前記空調ユニット（１０）の情報を生成する、生成部（２１ｇ）と、
をさらに備える、
請求項４または５のいずれかに記載の管理装置（２０）。
【請求項７】
前記構成部品（１１）を新たな前記構成部品（１１）に交換した場合において、新たな前記構成部品（１１）の前記運転情報の項目が増えると、前記テーブル（ＴＢ）の項目も増える、
請求項４から６のいずれかに記載の管理装置（２０）。
【請求項８】
前記空調ユニット（１０）の機種コードに基づき、複数の前記構成部品（１１）の前記テーブル（ＴＢ）が初期登録される、
請求項４から７のいずれかに記載の管理装置（２０）。
【請求項９】
前記テーブル（ＴＢ）は、外部システムから生成される、
請求項４から８のいずれかに記載の管理装置（２０）。
【請求項１０】
前記空調ユニット（１０）において、前記第１構成部品（１１ａ）は交換前の部品であって、前記第２構成部品（１１ｇ）は交換後の部品であって、
前記第１構成部品（１１ａ）の前記運転情報は、前記第２構成部品（１１ｇ）の前記運転情報と同一の前記テーブル（ＴＢ）に記憶される、
請求項４から９のいずれかに記載の管理装置（２０）。
【請求項１１】
空調ユニット（１０）と、
請求項４から請求項１０のいずれかに記載の管理装置（２０）と、
前記空調ユニット（１０）を監視する監視端末（３０）と、
を備え、
前記監視端末（３０）からの要求に応じて前記構成部品（１１）の前記運転情報を提示する、
管理システム（１００）。
【請求項１２】
前記管理装置（２０）は、前記空調ユニット（１０）の異常を検知した場合、前記監視端末（３０）へ情報を提示する、
請求項１１に記載の管理システム（１００）。